(57)【要約】本発明は、浮島の構成に関連する。浮島は、部分的に水に浸された容積のある構成物で、プラスの浮力を有し、柔軟で非伸長性の連結部及び弾性減衰連結部により接続される複数の浮遊施設により製造される。これらの浮遊施設は、互いに隣接し、水平方向に間をあけて配置され、全ての施設は側壁、底部、及び水位より上に配置されて島のインフラストラクチャー対象物をその上に取り付けるための基礎表面として用いられる屋根を有する容積のある浅い構造物である。全ての浮遊施設は、プラスの浮力を有する浅い気密なユニットの形状で形成され、底面のいずれの辺の長さよりも短い高さを有する平行六面体又は角柱の形状で形成され、隣接する浮遊施設の壁の向かい合って配置される浮遊施設の全ての壁は、柔軟で非伸長性の連結部及び弾性減衰連結部により、壁の全長に沿って壁に接続され、弾性減衰連結部は、少なくとも互いに垂直な二つの方向に減衰することを可能にする。【選択図】図２
2017505264.tif 000002
【特許請求の範囲】
【請求項１】
柔軟で非伸長性の連結部及び弾性減衰連結部により互いに接続され、プラスの浮力を有する複数の浮遊施設により構成される部分的に水に浸された容積のある構造物を含む浮島であって、
前記浮遊施設は、互いに隣り合うとともに、互いに水平方向に間隔を空けて配置され、
各浮遊施設は容積のある浅い構造で、側壁、底部及び水位より上に配置され、その上に島のインフラストラクチャー対象物を取り付けるための基礎表面として用いられる屋根を有し、
すべての前記浮遊施設は浅く気密なユニットでプラスの浮力を有し、高さが底面のいずれの辺の長さよりも短い平行六面体又は角柱形状を有し、隣接する浮遊施設の壁に向かい合って配置される浮遊施設のそれぞれの壁は、前記柔軟で非伸長性の連結部及び前記弾性減衰連結部により、前記壁の全長に沿って前記壁に接続され、
前記弾性減衰連結部は、少なくとも互いに垂直な二方向に減衰する可能性を有して製造されることを特徴とする浮島。
【請求項２】
前記ユニットは、鉄筋コンクリートにより製造されることを特徴とする請求項１に記載の浮島。
【請求項３】
前記ユニットの内側の空間は、複数の区画に仕切りにより分割されることを特徴とする請求項１に記載の浮島。
【請求項４】
生活活動を維持し、水面上で動くための自律的なエネルギー供給システムが設けられていることを特徴とする請求項１に記載の浮島。
【請求項５】
前記弾性減衰連結部は、金属、ゴムを含む形状で製造され、他の弾性のブロックが、水上の隣接する浅い気密なユニットの水平表面に、隣接する壁に沿って、その端部が繋がれて固定されることを特徴とする請求項１に記載の浮島。
【請求項６】
前記ゴムを含む弾性ブロックは、橋の形状で製造され、一の浅い気密なユニットの水平な水上表面から、他のユニットの水上表面へと動くことを特徴とする請求項５に記載の浮島。
【請求項７】
隣り合う浅い気密なユニットの壁の間に配置されるゴムを含む弾性ダンパが設けられていることを特徴とする請求項１に記載の浮島。
【請求項８】
前記浅い気密なユニットの水平表面には、補強リブが設けられていることを特徴とする請求項１に記載の浮島。
【請求項９】
前記浅い気密なユニットは、互いを接続し、外す手段を含むことを特徴とする請求項１に記載の浮島。
【発明の詳細な説明】
【技術分野】
【０００１】
本発明は、浮島の建設に関し、様々な目的、特に居住施設の土木工学、科学的な、生産、文化娯楽及びレクリエーションのための配置にする。本発明は、応用海洋学及び水文学に関し、特に表面を漂流し動かない浮島に関する。浮島は、様々な科学の調査者や、監視の場所、調査及び救助チームの所在地として用いることができ、海洋における人間の快適な居住地と同様に、海のリゾートや娯楽施設としても用いることができる。
【０００２】
本発明は、大きなスケールの浮遊するプラットフォームを基礎として形成される浮島に関する。
【背景技術】
【０００３】
現在のところ、海又は海面を浮島の創造の基礎表面として用いる考えは、非常に重要である。いくつかの企画を解決するための岸辺の面積が足りず、また、海や海洋の水は、それ自体が永遠で非常に強いエネルギー源であるという事実があるからである。水面を、異なる面積の構造物の創造のために用いるという見通しにより、陸地の調査の新しいトレンドが発達することになる。このため、エンジニアや建築家の発展が注目される。なぜなら、標準的な設計の解決策は、そのような企画の設計には必ずしも用いられず、多くの場合これらの解決策は、船の建設や他の浮遊施設の建設に類似する。そのような島の主な問題の一つは、浮遊施設として、水面の層の挙動に対する島の反応である。水の多くの領域は振動するエネルギーの形態として隆起するので、その隆起が浮遊施設にも伝わり、ある程度から他の程度へと水の質量の隆起に応じて繰り返すか、反応するようにする。これにより（水の領域の静かな表面−静かな海であっても）、島の安定した位置が変動する。もし島が居住の又はその他のインフラストラクチャー組織のための基地であれば、１０メートルの高さのプラットフォームの最小限化された振動は、感知されるようになる。浮島の水より上の面に配置された他のどのよう建築構造物にとっても、そのような体系だった振動は、構造物の操作の信頼性に影響する。このため、浮島の地平線の安定化を確実にすべき機械的なダンパが、近年の浮島の企画には設けられている。そのようなダンパは島のポンツーン（平底の浮桟橋）部分の位置を安定化させる。例えば、サイドダンパは、島の動きを上下及び横にすることができ、水環境の水平線及び島の水線に対して上下に行くようにして、波の衝撃のエネルギーを緩衝する。低部のスタビライザ（安定化装置）は、島の安定を確実にし、作用する位置を島の動きの横及び長手方向に設定する。バラストとともに、スタビライザの一部は、島のヒール（竜骨）が横又は長手方向に傾いた場合に、島及びそのプラットフォームをもとの位置に戻すことを目的とする釣合重りの役割を果たす。機械的ダンパの制限された可能性を考慮に入れると、一年の間、水中が乱れる状態となるのが最小限の領域、及び島の下がほとんど水平な起伏の領域が、島を建設するのに選ばれる（漂流する参照ポイントに対して島が自由に動くことを防止するため）。
【０００４】
例えば、浮遊プラットフォームを備える浮島であって、浮遊プラットフォームは、その上部の異なるユニットと、少なくとも一つのフーコーの振り子のベルとを含み、下部のベルの内面に発電機が取り付けられているものが知られている（公開された出願ＲＵ２０１０１４６５２，６３Ｂ３５／４４，Ｂ６３Ｂ３５／５８、公開日２０１２年５月２０日）。プラットフォームの基礎の下部において、浮島に直接高い負荷がかかるような配置を防止する必要があるということがそのような構造の創造の主な問題である。
【０００５】
水環境内に沈む浮きベースを含む浮島であって、浮きベースは、可動の互いに連結された複数のパーツにより作られるものが知られている（ロシア特許ＲＵ２４５７１４４、Ｂ６３Ｂ３５／４４、Ｂ６３Ｂ３５／００、２０１２年５月２７日公開）。隣接するパーツと組み合わされるベースの全てのパーツ（防水保護を有する）が塊を形成し、補強された重いコンクリートで製造される。島には、下側及び横にスタビライザが設けられ、島の参照する位置と浮きの安定性を確実にする。しかし、複雑な構造と、スタビライザの設けられた島の中央及び周辺の塊の接合部のために、高い強度と耐久性によって特徴づけられる、寸法が数ヘクタールの大規模の島を創造することができない。
【０００６】
両方の公知の技術的な解決方法は、小さな面積の浮島に言及している。島の構造は、プラットフォームの上部の層にかかる小さな重量の負荷に対して、安定した操作を確実にする。しかし、見通しとして、大きな面積の浮島を創造する概念を発展させることが望ましい。しかし、スタビライザの使用は、大きな浮島に対しては効果的でない。スタビライザとは、すでに複雑な構成で設計されたユニットであり、大きな島の周縁に沿って数が増えたり、面積が増えたりすると、その制御システムを確立する実際的な可能性が欠如する（異なる位置での水の上層の動的特性は、マグニチュード及び攪乱ベクトルの両方で、互いに異なるからである）。このため、大きな面積の浮島の新しい安定メカニズムが開発されるべきである。
【０００７】
一方、科学者達はテキサスの二倍あるプラスチックの島が太平洋に浮いていることを発見した。そして、この島の８０％はプラスチックのごみ（記事「浮いているごみの代わりにプラスチックの島」ｈｔｔｐ：／／ｗｗｗ．ｎｏｖａｔｅ．ｒｕ／ｂｌｏｇｓ／１４０４１０／１４５３１／参照）を含む。そのような面積のこのプラスチックの島は海洋の水面が波立つことに、敏感であるとは思われない。そのような状態を分析したところでは、プラスチックの島の個々の構成要素の間に強固な接続がなされていないことによるものであることがわかる。これらの構成要素（個々のもの及びランダムに結合された積み重なりの両方）は、水面に直接作用し、外乱のベクトルの方向での外乱への反応として、振動して変位する。しかし、外乱への反応は、隣接するもの又はごみの積み重なったものに接触したときに止まり、その位置がある種安定することが観察される。この安定は、振動のプロセスは維持するが、波の振動プロセスは繰り返さない。このため、二つの個々のごみの山が接触し、それぞれが波の形成のプロセスにしたがって接触以前に変位しており、新しい小さな振幅のプロセスで新たに変位するプロセスを形成することで、個々の変位を互いに緩衝することが見られるだろう。それは新しい安定化のメカニズムとして処理されるかもしれない。というのは、変位及び振動する他の要素に接触する個々の要素の変位振動は、新しい完全な変位のプロセスを形成するが、最初のプロセスよりも小さいという特性を有する。多数の要素がある場合にそのように相互作用すると、変位ベクトル及び振幅幅が合成されることで、要素の全体が互いに安定化することに繋がる。
【０００８】
この特性は、ＲＵ２１００２４９、Ｂ６３ＢＢ３５／４４、公開日１９９７年１２月２７日に開示された浮遊停泊ターミナルで検討されている。浮遊停泊ターミナルは、停泊用具及び操作機械を有する複数の浮遊施設を有し、すべての浮遊施設が底部、側部及びデッキカバーを有し、上部構造が設けられた貨物室の本体を含む船の形状をして製造されており、この上部構造の上部デッキカバーは船の全長に沿って延び、上部構造の壁には貨物入口が設けられて、貨物室開口の周囲に取り付けられており、これらがサイドカバーや、追加的な部屋の空間を形成する部屋と部屋の間の壁に続いている。上部構造の内側の部分には、上部構造の側壁にある船の中央側部平面にそって取り付けられたガイドを有するコンソールとともに船梁天井を移動するクレーン式の操作機械が設けられている。そして上述のコンソールは、上部構造に取り付けられて、輸送システムを形成して操作作業を実行することができるように、隣りの船の天井を移動するクレーンのコンソールに対応して位置が合うまで、開けるようになっている。
【０００９】
この停泊所では、浮遊施設はドッキング（入渠）ユニットと相互に連結され、三方向に変位して埋め合わせを確実にできるようになっている。一つの変形例として、これらは少なくとも２つの弾性要素や、ドッキングする対象の一つに固定する端部を有し、その中央部で他のドッキングする対象とのヒンジ接合部を有する柔軟な接続（例えば、ロープ、スリング等）の形式で作られる。弾性要素は、接合のポイント、例えばフック又はやっとこの両側に位置する。浮遊施設が、相対的にお互いに、及び／又は相対的に基部、つまり振動するところに対して変位する間に、生じる動的負荷の影響を除外するために、柔軟な接続部の端部は取り付け部に対してばねで駆動される。
【００１０】
この解決方法は、クレームされた主題に対して最も近いと認められる。
【００１１】
この解決策が、停泊ターミナルの位置の安定を組織化することを目的としたものであるにも関わらず、停泊所と陸とを接続する場合以外は、そのような結果に達しない。お互いに減衰するのは、基部に接続されていない停泊要素の相互作用の結果である。陸との接続が起こると、例えば、全ての変位を支持（反応トルクの支持）する支持部を形成する結果になる。この接続において、浮遊施設の全ての変位は、最終的には陸に結び付けられた浮遊施設に移転する。このことは、システムとしての停泊ターミナルは、オープンタイプで、すなわち外部の接続を有するという事実により説明される。そして、自己安定化プロセスは、本質的に閉じたシステムであり、変位エネルギーを移転させ、外部の物体に対して振動する可能性を除外する。実際、この停泊ターミナルにおける弾性接続は、個々の浮遊施設の変位を互いに減衰させることを除外せず、しかし隣接する浮遊施設の板の間の相互作用の衝撃を除外するために用いられている（船が近づいてきたときに互いに接触する瞬間にのみ、弾性要素が互いに接触する）。
【００１２】
その上、公知の停泊システムでは、浮遊施設は荷物室の本体を含む船の形式で製造されており、荷物室は、底、側部、デッキカバー、上部構造を有し、上部構造の上方のデッキカバーは、船の全長に沿って延びる。すなわち、浮遊施設は、実は船であり、浮力を確実にするシステムが設けられ、垂直位置（ヒール（竜骨の後端部））及び上部構造を維持することを意味する。そのような変換なしの浮遊施設を、上部構造が建設構造の基礎表面として用いられる浮島を形成するための建設ユニットとして用いることはできない。
【００１３】
閉じられたシステムの形式で製造される浮島のためには、そのような島の上部構造の表面面積が船の寸法よりも一桁大きくなるため、プラットフォーム全体に機械的な安定化システムを組織する必要性はない。これにより、島自体は、角柱タイプの物として配置されてよく、基部の横方向の寸法は、少なくとも島の厚さ寸法より一桁大きい。さらに、船（デッキ、本体）の場合のような均一で頑丈な基部を組織する必要がない。それぞれが柔軟で非伸長性の連結部の形式及び弾性の減衰連結部の形式の隣り合う二つの浮遊要素との接続部を有する複数の小さな浮遊要素を備える共通の基部を配置する可能性が出現する。これにより、水面上の島を安定化させる問題を解決することができるだけでなく、浮遊施設を永久的に追加できる島エリアの建設方針を打ち立てることができる。その上、島の支圧強度に関して重大な増加を達成することができる。これは、地方自治体に類似する都市や、インフラストラクチャー基盤を創成する機会を提供する。
【先行技術文献】
【特許文献】
【００１４】
【特許文献１】露国特許出願公開第ＲＵ２０１０１４６５２号
【特許文献２】露国特許第ＲＵ２４５７１４４号
【特許文献３】露国特許第ＲＵ２１００２４９号
【非特許文献】
【００１５】
【非特許文献１】インターネット＜ＵＲＬ：ｈｔｔｐ：／／ｗｗｗ．ｎｏｖａｔｅ．ｒｕ／ｂｌｏｇｓ／１４０４１０／１４５３１／＞
【発明の概要】
【発明が解決しようとする課題】
【００１６】
本発明は、島の構造を単純化する結果に至る技術を実現することを目的とし、操作の信頼性、強度、大きな寸法での耐久性を提供する一方で、例えば島自体の重量の倍に対応する有益な荷重を抱える可能性を提供する。この技術的な結果は、他の方法においても説明され得る。浮力及び浮島の安定性とともに強度及び耐久性を増加させ、その構造の建設のための労働を節約する（建設上の複雑さを減少させる）。
【課題を解決するための手段】
【００１７】
この技術的な結果は、柔軟で非伸長性の連結部及び弾性減衰連結部により互いに接続され、プラスの浮力の浮遊施設により製造される部分的に水面下の容積構造を含む浮島により達成される。この浮遊施設は、互いに隣接して、水平方向に間を空けて配置され、すべての施設が側壁、底部及び、水面から上に位置する基礎表面として用いられ、その上に島のインフラストラクチャー基盤の物を取り付けるための屋根、を有する容積の浅い構造である。そして、すべての浮遊施設は、プラスの浮力を有し底面（ベース）の両辺の長さよりも高さが低い平行六面体又は角柱の形状を有する浅く気密なユニットの形式で製造される。そしてそれぞれの浮遊施設のそれぞれの壁は、隣接する浮遊施設の壁と向き合って配置され、それぞれの壁は柔軟で非伸長性の連結部及び弾性減衰連結部の手段によって、壁の全長に沿って壁に接続される。この弾性減衰接続部は、少なくとも互いに垂直な方向で減衰する可能性をもって製造される。
【００１８】
特定された特徴は本質的なものであり、要求される技術的結果を実現するために十分な本質的特徴の安定した組み合わせを形成するように、相互に関係する。
【００１９】
本発明は、特定の実施形態により説明されるが、それのみが可能であるというものではなく、要求される技術的結果を実現する可能性を明確に説明するものである。
【図面の簡単な説明】
【００２０】
【図１】本発明の浮島の概観図である。
【図２】本発明の浮遊施設の断面図であり、浅く気密なユニットを示す。
【図３】本発明の水面上の島を形成するために互いに接続された浮遊施設の例を示す。
【発明を実施するための形態】
【００２１】
本発明によれば、浮島の新しい構造が検討され（図１参照）、浮島は、水面下及び水面上の部分を有する部分的に浸水した容積構造を含む。この容積構造は、プラスの浮力を有して製造される所定の数の浮遊施設１により構成される。これらの浮遊施設は、柔軟で非伸長性の連結部及び弾性減衰連結部の手段により互いに接続される。柔軟で非伸長性の連結部は、一つの浮遊施設を他に接続するように用いられ、両方の浮遊施設が互いに自由に動けるようになる。そのような接続により、一つの浮遊施設から他が外れてしまう可能性も除外される。浮島において、浮遊施設は、互いに隣接し、水平方向に間をあけて配置される。したがって、すべての浮遊施設は、塊を形成するように相互に連結され、すべての浮遊施設が単一の接続されたシステムを形成するが、柔軟で非伸長性の連結部の長さで規定される境界のうちで自由に動くことができる。このシステムは、新しい（追加的な）浮遊施設を接続することでその面積を増やすことができたり、それらの浮遊施設を解放して、操作を減らしたり、システムの総面積を低減したりすることができる点でフレキシブルである。
【００２２】
浮遊施設のどれもが建設ユニットであり、それはユニットをともに接続して水面上の塊を形成し、その上に島のインフラストラクチャー基盤の物２を配置（取り付け）するのに用いられる。
【００２３】
すべての浮遊施設は、浅い容積構造で、側壁３、底面４、及び基礎面（デッキ、デッキ面）として用いられ、水位６より上に配置される屋根５を有する。すべての浮遊施設は、浅い気密なユニットの形式で製造され、例えば鉄筋コンクリート（例えば打ち鉄筋コンクリート）から製造される。このユニットの内側空間は、分割壁７により区画８に分割され、曲げ応力を低減するための強化要素（図２参照）となる。曲がって変形することを低減するために、ユニットに強化リブが形成されてもよい。ユニットの水平面上に、そのようなリブが、互いに異なる方向に配置されてよい。すなわち、上方のリブ及び下方のリブは、互いに所定の距離離れてよい（強化リブは、少なくとも互いに６ｍ上下に離れる）。強化リブは、次のような順序で配置（取り付け）られてよい。上方リブは、水平面の上に、下方リブは、下方の水平面上から所定距離離間して配置される。リブは、多孔質の（ｃｅｌｌｕｌａｒ）構造を有していてよい。
【００２４】
アセンブリは、プラスの浮力を有し、底面の両辺の長さよりも高さが低い平行六面体又は角柱の形状を有する。アセンブリは、規則的な容積形状であり、すべてのユニットが島システムの部品であり、構造（容積及び面積）、形状において均等である。システムにおける振動プロセスを均一にし、隣接するユニットとの間の振動の補償アルゴリズムを予測可能にするため、これが最適の選択である。
【００２５】
このシステムにおいて、隣接するユニットとの間の振動を鎮めるプロセスは、これらの間の接続を減衰させることによって形成される。隣接する浮遊施設の壁に向かい合って配置されるすべての浮遊施設のすべての壁は、柔軟で非伸長性の連結部によってこの壁に連結されるだけではなく、この壁の全長に沿って弾性の減衰連結部により連結される。この弾性の減衰連結部は、少なくとも二つの互いに垂直な方向に減衰させる可能性をもって製造される。
【００２６】
アセンブリの隣接する壁の間の弾性減衰連結部は、ゴムを含有するブロック９の形状であってよく、隣接する浅い気密なユニットの水面上の水平面の上に、その隣接する壁に沿って、端部を繋げるか固定される。そのような弾性ブロックは、板状のゴムか、又はパッドの形状で作られ、隣りのユニットの壁の間の空間に重なる。その結果、図３に示すように、ゴムを含有する弾性ユニットは、一の浅い気密なユニットの水平な水面上の表面から、他のユニットの水面上の表面へ動くための橋の形状である。
【００２７】
そのような弾性のブロックは、二つの機能を実行する。一つ目の機能は、ゴムプレートの一方の縁が、一方のユニットの表面の上に固定され、ゴムプレートの他方の縁が、他方に隣接するユニットの表面に固定されることで、ユニットを互いに接続することである。二つ目の機能は、素材の弾性特性のために、曲げ、伸ばし、圧縮し、捩じることができ、海又はユニット上の海表面層の水量の影響によってユニットが動くのを、減衰させることである。ユニットは部分的に水に沈んでおり、プラスの浮力を有するので、波振動のアルゴリズムを繰り返すユニットのわずかな振動を引き起こす表面の波及び水面下の流れに曝されている。
【００２８】
このような建設は、振動プロセスの伝達を確実にし、類似する振動プロセスを受ける隣りのユニットに、全てのユニットが（建設ユニットとして）関係する。この場合、プロセスのエネルギーの一部は、弾性ブロックにより減衰され、振動機能としての残りの部分は、隣接するユニットの同じ機能に結び付けられる。二つの非調和的な機能を合せることにより、振幅を合計することとなり、これにより、意義深くより少ない振幅の新しい振動プロセスの形成が起こる。このようにして、安定化プロセスが形成される。それぞれのユニットは、４つの隣りのユニットと島の中央部（非周縁部）で減衰接続されており、５つの非調和的な振動機能により、島を実質的に安定化させる振幅の合計に帰結する。
【００２９】
島の水面上の部分より高いところで、同じ位置を確保するために、寸法や水の変位に関して統一されたユニットを用いることは、適切である。その上、寸法及び水の変位について統一されたユニットは、予測可能な類似した振動を確実にする。より安定化させるため、全てのユニットには、位置安定化材である水面下手段が設けられる。
【００３０】
複数の相互に連結されたユニットにより製造される大規模の浮島は、規則的な直方体の形状を有する浅いユニットの塊を形成し、それは幅及び長さが有意にその高さを超える平行六面体であり、幾何学的寸法により、全てのユニット及び島全般が確実にプラスの浮力を有するようになる。浅いユニットの内側の空洞は、寝台室及び技術室を含み、島の生活活動に必要な用具が備えられている。浅いユニットの内側の空洞は、居住に適した部屋や、科学的な研究室、生産作業場、文化的又は娯楽施設及び衛生機関のための部屋を含んでよい。島は、自立した電源供給システムを備え、生活活動を維持し、水面上で必要な方向に島を動かす。島の生存設備は、特に、吸引ポンプ手段により凝縮した量を強制的に除去することを確実にする排水システムを含んでよい。自立した電源供給システムは、波のエネルギー、風力及び太陽エネルギーを電気に変えることで実行されてよい。自立した電源供給システムは、例えば、浅いユニットの間に配置される液体と気体を利用した設備を含んでよく、それは、波の動きによるユニットの動きを変換する。
【００３１】
建設及び強度計算により、計画された使用に最も適したユニットの寸法は、幅４０ｍ、長さ４０ｍ、高さ４ｍであることがわかった。１ｍに等しい厚さの、ユニットの成形された壁により、居住又は他の部屋として、ユニットの内側の空洞を確実に機能的に使用できるようになる。補強された鉄筋コンクリート製のユニットのこのような寸法及び建設により、すべてのアセンブリ及び島が、全体的に便利な積載量を有することが可能となり、それは、少なくともユニット及び島全体の自重の２倍に等しい。荷を積載していない島は、定格の浸水深さ（水没深さ）は、１ｍであり、最大まで装備（積載）した浸水深さは、２ｍである。ユニットの水平面の価値ある面積少なくとも１６００平方メートルを有して、計画された対象及び構造物が、島の表面上に直接配置される。太陽電池が取り付けられて、太陽エネルギーを電気に変換する。そして風力により駆動される塔が設けられて、空気の質量（風）を電気に変換する。電気を生産するために風力及び太陽電池が使用される。浮島の信頼できる維持のために、基本的な標準装備に自律性が設けられ、異なる天候条件（静かな海、嵐に伴う荒れた海）のために互いに重複して使用される。
【００３２】
接続要素により接続されるユニットは、互いに０．２〜０．４ｍの間隔をあける。この間隔は、到着する波にさらされるユニットの最大に起こり得る偏差を考慮してユニットの上記寸法により決定される。外側の壁と、次の列の外側の壁の間の外側の壁の偏差を利用するために、水圧式圧縮空気装置が取り付けられ、隣り合うユニットの壁が互いに往復するようにずれる動きを、電気に変換する。すべてのユニットは自律的である。島のアセンブリ（接続）は、減衰要素により接続し、ユニットをひとつずつ浮かせることにより実行される。必要であれば、外側又は内側のユニットのいずれかが、繋がりを外されるか、沈められる。それは、次のように行われる。ユニットを互いに接続する接続（固定）要素が、沈められるべきユニットから外される。それから、ユニットの気密性が損なわれる−特別な窓、門が開けられるか、アセンブリの下側の部分が破壊される。内側の空洞に達したら、水がプラスの浮力及びユニットの浮遊安定性を破壊して、水は、ゆっくりと底の方へ行く。沈める必要がなければ、アセンブリは浮いたままでよい。全般に又は部分的に、プラットフォームが許可を得ずに沈められることを防止するため、島のサバイバル設備は、特に、ユニットの内側の空洞に配置され、吸引ポンプにより圧縮された塊を除去する力を付与する排水システムを含んでよい。
【図１】
2017505264.tif 000003
【図２】
2017505264.tif 000004
【図３】
2017505264.tif 000005
【国際調査報告】
2017505264.tif 000006
2017505264.tif 000007
2017505264.tif 000008
2017505264.tif 000009
2017505264.tif 000010
2017505264.tif 000011